(57)【要約】【要約書】  １つ以上の光源を制御するための照明制御装置であって、照明制御装置が：興味のあるパラメータを検知または検出するための少なくとも１つのセンサーと；１つ以上の無線信号を１つ以上の他の照明制御装置に送信するための送信機と；１つ以上の他の照明制御装置から１つ以上の無線信号を受信するための受信機と；少なくとも１つのプロセッサおよびプロセッサと通信するメモリを有し、プロセッサによって実行される１つ以上のプロセスを示す設定データを記憶する制御装置と；を備え、記憶された設定データが、プロセッサにより実行されると、プロセッサをして：受信機を介して、プロセッサによって実行される１つ以上の更なるプロセスを示す設定更新データを受信させ；記憶された設定データを修正して、プロセッサによって実行される１つ以上の更なるプロセスを示させる；ようにする１つ以上のプロセスを示す。【選択図】図２
2015528999.tif 000002
【特許請求の範囲】
【請求項１】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
受信機を介して、プロセッサによって実行される１つ以上の更なるプロセスを示す設定更新データを受信させ；
記憶された設定データを修正して、プロセッサによって実行される１つ以上の更なるプロセスを示させる；ようにする１つ以上のプロセスを示す、ことを特徴とする照明制御装置。
【請求項２】
記憶された設定データが、プロセッサにより実行されると、プロセッサをして、送信機を介して、１つ以上の他の照明制御装置によって実行される１つ以上のプロセスを示す設定更新データを送信させるプロセスを示す、ことを特徴とする請求項１に記載の照明制御装置。
【請求項３】
記憶された設定データが、プロセッサによって実行されると、プロセッサをして：
受信機を介して、照明制御装置の設定を示す設定情報のための要求を受信させ；
前記要求の受信に応答して、要求された設定情報を送信させる；ようにする少なくとも１つのプロセスを示す、ことを特徴とする請求項１または２に記載の照明制御装置。
【請求項４】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
１つ以上の他の照明制御装置から、１つ以上の他の照明制御装置の各検出領域、および、照明制御装置の検出領域と前記検出領域との間の各分離、の占有を示す占有データを受信させ；
照明制御装置の検出領域の占有がないときにいつ光源を落として止めるかを決定するための、照明制御装置の前記検出領域と１つ以上の他の照明制御装置の検出領域との間の分離に基づき決定される、滞留時間を決定させる；ようにする１つ以上のプロセスを示す、ことを特徴とする照明制御装置。
【請求項５】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
１つ以上のプロセスを示す記憶された設定データが、プロセッサにより実行されると、プロセッサをして：
受信機を介して、前記照明制御装置と１つ以上の他の照明制御装置との間の無線送信をテストするための要求を受信させ；
要求が前記照明制御装置によって受信されたことを視覚的に示すように、１つ以上の光源を制御させ；
送信機を介して、１つ以上の他の照明制御装置による受領に対する無線送信をテストするための対応する要求を送信させる；ようにする１つ以上のプロセスを示す、ことを特徴とする照明制御装置。
【請求項６】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
１つ以上のプロセスを示す記憶された設定データが、プロセッサにより実行されると、プロセッサをして：
（ｉ）受信機を介して、前記照明制御装置と１つ以上の他の照明制御装置との間の無線送信をテストするための要求を受信させ；
（ｉｉ）送信機を介して、および、対応する選択された無線送信出力で、１つ以上の他の照明制御装置により、受領のためのテストメッセージを送信させ；
（ｉｉｉ）受信機を介して、１つ以上の他の照明制御装置からテストメッセージの受領を確認する応答メッセージを受信させ；
（ｉｖ）各異なる無線通信出力に対し（ｉｉ）および（ｉｉｉ）のステップを繰り返させ；
（ｖ）送信機による次の無線送信で使用する無線送信出力を選択するために、受信した応答メッセージおよび対応する無線送信出力を示すデータを処理させる；ようにする１つ以上のプロセスを示す、ことを特徴とする照明制御装置。
【請求項７】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
送信機を介して、１つ以上の他の照明制御装置へメッセージを送信させ、ここで各送信されたメッセージはノードを複数のゾーンの少なくとも１つの対応するゾーンのメンバーであると識別するゾーンデータを含み；
無線受信機を介して、１つ以上の他の照明制御装置からメッセージを受信させ、ここで各受信されたメッセージは前記複数のゾーンの対応する１つを識別させるゾーンデータを含み；
メモリに記憶された１つ以上のルールに基づき、各受信されたメッセージをどのように処理するかを決定するとともに、メッセージに関連するゾーンに基づき、受信されたメッセージがプロセッサによってどのように処理されるべきかを定義させる；ようにする１つ以上のプロセスを示す、ことを特徴とする照明制御装置。
【請求項８】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
長期にわたって動き検出装置の出力をモニターさせ、前記モニター結果に基づき、動きがその後の時間で検出されているかどうかを決定するために、その後の時間における動き検出装置の出力を処理する際に使用されるしきい値を決定させる；ようにする１つ以上のプロセスを示す、ことを特徴とする照明制御装置。
【請求項９】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
長期にわたって動き検出装置の出力をモニターさせ、前記モニター結果に基づき、動き検出装置が故障しているかどうかを決定させ、もし前記決定が動き検出装置が故障していると決定した場合は、その後の時間における動き検出装置の出力を無視させる；ようにする１つ以上のプロセスを示す、ことを特徴とする照明制御装置。
【請求項１０】
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
無線受信機を介して、制御装置のタイマーをリセットする指示を受信させ；
タイマーの状態に基づき、光源に印加させる出力を制御させ、ここで第１の出力はタイマーが終了しないとき光源に印加され、第１の出力とは異なる第２の出力はタイマーが終了した後光源に印加される；ようにする１つ以上のプロセスを示す、ことを特徴とする照明制御装置。
【請求項１１】
記憶された設定データが、プロセッサによって実行されると、プロセッサをして：
興味のあるパラメータが、興味のあるパラメータを検出する少なくとも１つのセンサーに応じて検出されたことを表す情報を示す１つ以上の無線信号を送信するよう送信機を制御させる；ようにする少なくとも１つのプロセスを示す、ことを特徴とする請求項１〜１０のいずれか１項に記載の照明制御装置。
【請求項１２】
記憶された設定データが、プロセッサによって実行されると、プロセッサをして：
興味のあるパラメータが検出されたことを示す情報を表す１つ以上の無線信号を受信する受信機に応じて、検出されたことを示す情報を表す１つ以上の無線信号を送信するよう送信機を制御させる；ようにする少なくとも１つのプロセスを示す、ことを特徴とする請求項１〜１１のいずれか１項に記載の照明制御装置。
【請求項１３】
興味のあるパラメータが検出されたことを示す情報を表す、受信機によって受信された１つ以上の無線信号が、興味のあるパラメータを検出した等位からの装置の分離を表す情報を含む、ことを特徴とする請求項１〜１２のいずれか１項に記載の照明制御装置。
【請求項１４】
記憶された設定データが、プロセッサによって実行されると、興味のあるパラメータを検出した装置からの装置の分離を示す情報を表す１つ以上の無線信号を送信するよう送信機を制御させるようにする少なくとも１つのプロセスを示す、ことを特徴とする請求項１〜１３のいずれか１項に記載の照明制御装置。
【請求項１５】
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
受信機を介して、プロセッサによって実行される１つ以上の更なるプロセスを示す設定更新データを受信し；
記憶された設定データを修正して、プロセッサによって実行される１つ以上の更なるプロセスを示す；
ことを含む、ことを特徴とする設定方法。
【請求項１６】
送信機を介して、１つ以上の他の照明制御装置によって実行される１つ以上のプロセスを表す設定更新データを送信する、ことを特徴とする請求項１２に記載の設定方法。
【請求項１７】
受信機を介して、照明制御装置の設定を表す設定情報のための要求を受信し；
前記要求の受領に応答して、要求された設定情報を送信する；
ことを含む、ことを特徴とする請求項１２または１３に記載の設定方法。
【請求項１８】
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
１つ以上の他の照明制御装置から、１つ以上の他の照明制御装置の各検出領域、および、照明制御装置の検出領域と前記検出領域との間の各分離、の占有を示す占有データを受信し；
照明制御装置の検出領域の占有がないときにいつ光源を落として止めるかを決定するための、照明制御装置の前記検出領域と１つ以上の他の照明制御装置の検出領域との間の分離に基づき決定される、滞留時間を決定する；
ことを含む、ことを特徴とする方法。
【請求項１９】
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
受信機を介して、前記照明制御装置と１つ以上の他の照明制御装置との間の無線送信をテストするための要求を受信し；
要求が前記照明制御装置によって受信されたことを視覚的に示すように、１つ以上の光源を制御し；
送信機を介して、１つ以上の他の照明制御装置による受領に対する無線送信をテストするための対応する要求を送信する；
ことを含む、ことを特徴とする設定方法。
【請求項２０】
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
（ｉ）受信機を介して、前記照明制御装置と１つ以上の他の照明制御装置との間の無線送信をテストするための要求を受信し；
（ｉｉ）送信機を介して、および、対応する選択された無線送信出力で、１つ以上の他の照明制御装置により、受領のためのテストメッセージを送信し；
（ｉｉｉ）受信機を介して、１つ以上の他の照明制御装置からテストメッセージの受領を確認する応答メッセージを受信し；
（ｉｖ）各異なる無線通信出力に対し（ｉｉ）および（ｉｉｉ）のステップを繰り返し；
（ｖ）送信機による次の無線送信で使用する無線送信出力を選択するために、受信した応答メッセージおよび対応する無線送信出力を示すデータを処理する；
ことを含む、ことを特徴とする設定方法。
【請求項２１】
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
送信機を介して、１つ以上の他の照明制御装置へメッセージを送信させ、ここで各送信されたメッセージはノードを複数のゾーンの少なくとも１つの対応するゾーンのメンバーであると識別するゾーンデータを含み；
無線受信機を介して、１つ以上の他の照明制御装置からメッセージを受信させ、ここで各受信されたメッセージは前記複数のゾーンの対応する１つを識別させるゾーンデータを含み；
メモリに記憶された１つ以上のルールに基づき、各受信されたメッセージをどのように処理するかを決定するとともに、メッセージに関連するゾーンに基づき、受信されたメッセージがプロセッサによってどのように処理されるべきかを定義させる；
ことを含む、ことを特徴とする設定方法。
【発明の詳細な説明】
【技術分野】
【０００１】
本発明は、環境センシングに基づく照明の照度出力を制御するためのシステムおよび方法に関し、特に、照明制御装置を構成して操作するための照明制御装置およびプロセスに関するものである。
【背景技術】
【０００２】
比較的大きい（例えばオフィス）取り付けのために使用されるものなどの現存する照明システムは、複雑で費用のかかる取り付けおよび空きスペースが照明されているときの無駄なエネルギーを含む、多くの困難に悩まされる。また、理論上従来技術でアドレス可能な照明システムの集中的な性質はそれらの構成を促進するが、実際には、このプロセスは、制御エンジニアが実際の対応する仮想コンポーネントをマッピングする時間を費やす点、および、さまざまなシステムおよびコンポーネントが正しく相互に通信していることを確実にする点で、複雑で時間がかかる。これは、また、居住者の満足度を提供しながら、照明およびエネルギー使用量を最適化するために、個々のライトや照明ゾーンの動作を直接プログラムするステップを、わかりにくくする。
【０００３】
先行技術の１つ以上の困難を軽減する照明制御装置およびそれに関連するプロセスを提供すること、あるいは、現存の照明システムおよびプロセスに対する有益な代替物を提供すること、が望まれている。
【発明の概要】
【０００４】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
受信機を介して、プロセッサによって実行される１つ以上の更なるプロセスを示す設定更新データを受信させ；
記憶された設定データを修正して、プロセッサによって実行される１つ以上の更なるプロセスを示させる；ようにする１つ以上のプロセスを示す、ことを特徴とする照明制御装置が提供される。
【０００５】
ある実施例において、記憶された設定データが、プロセッサにより実行されると、プロセッサをして、送信機を介して、１つ以上の他の照明制御装置によって実行される１つ以上のプロセスを示す設定更新データを送信させるプロセスを示す。
【０００６】
ある実施例において、記憶された設定データが、プロセッサによって実行されると、プロセッサをして：
受信機を介して、照明制御装置の設定を示す設定情報のための要求を受信させ；
前記要求の受信に応答して、要求された設定情報を送信させる；ようにする少なくとも１つのプロセスを示す。
【０００７】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
１つ以上の他の照明制御装置から、１つ以上の他の照明制御装置の各検出領域、および、照明制御装置の検出領域と前記検出領域との間の各分離、の占有を示す占有データを受信させ；
照明制御装置の検出領域の占有がないときにいつ光源を落として止めるかを決定するための、照明制御装置の前記検出領域と１つ以上の他の照明制御装置の検出領域との間の分離に基づき決定される、滞留時間を決定させる；ようにする１つ以上のプロセスを示す、ことを特徴とする照明制御装置が提供される。
【０００８】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
受信機を介して、前記照明制御装置と１つ以上の他の照明制御装置との間の無線送信をテストするための要求を受信させ；
要求が前記照明制御装置によって受信されたことを視覚的に示すように、１つ以上の光源を制御させ；
送信機を介して、１つ以上の他の照明制御装置による受領に対する無線送信をテストするための対応する要求を送信させる；ようにする１つ以上のプロセスを示す、ことを特徴とする照明制御装置が提供される。
【０００９】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
（ｉ）受信機を介して、前記照明制御装置と１つ以上の他の照明制御装置との間の無線送信をテストするための要求を受信させ；
（ｉｉ）送信機を介して、および、対応する選択された無線送信出力で、１つ以上の他の照明制御装置により、受領のためのテストメッセージを送信させ；
（ｉｉｉ）受信機を介して、１つ以上の他の照明制御装置からテストメッセージの受領を確認する応答メッセージを受信させ；
各異なる無線通信出力に対し（ｉｉ）および（ｉｉｉ）のステップを繰り返させ；
送信機による次の無線送信で使用する無線送信出力を選択するために、受信した応答メッセージおよび対応する無線送信出力を示すデータを処理させる；ようにする１つ以上のプロセスを示す、ことを特徴とする照明制御装置が提供される。
【００１０】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
送信機を介して、１つ以上の他の照明制御装置へメッセージを送信させ、ここで各送信されたメッセージはノードを複数のゾーンの少なくとも１つの対応するゾーンのメンバーであると識別するゾーンデータを含み；
無線受信機を介して、１つ以上の他の照明制御装置からメッセージを受信させ、ここで各受信されたメッセージは前記複数のゾーンの対応する１つを識別させるゾーンデータを含み；
メモリに記憶された１つ以上のルールに基づき、各受信されたメッセージをどのように処理するかを決定するとともに、メッセージに関連するゾーンに基づき、受信されたメッセージがプロセッサによってどのように処理されるべきかを定義させる；ようにする１つ以上のプロセスを示す、ことを特徴とする照明制御装置が提供される。
【００１１】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
長期にわたって動き検出装置の出力をモニターさせ、前記モニター結果に基づき、動きがその後の時間で検出されているかどうかを決定するために、その後の時間における動き検出装置の出力を処理する際に使用されるしきい値を決定させる；ようにする１つ以上のプロセスを示す、ことを特徴とする照明制御装置が提供される。
【００１２】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
長期にわたって動き検出装置の出力をモニターさせ、前記モニター結果に基づき、動き検出装置が故障しているかどうかを決定させ、もし前記決定が動き検出装置が故障していると決定した場合は、その後の時間における動き検出装置の出力を無視させる；ようにする１つ以上のプロセスを示す、ことを特徴とする照明制御装置が提供される。
【００１３】
本発明のある実施例に従って、
１つ以上の光源を制御するための照明制御装置であって、照明制御装置が：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を備え、
記憶された設定データが、プロセッサにより実行されると、プロセッサをして：
無線受信機を介して、制御装置のタイマーをリセットする指示を受信させ；
タイマーの状態に基づき、光源に印加させる出力を制御させ、ここで第１の出力はタイマーが終了しないとき光源に印加され、第１の出力とは異なる第２の出力はタイマーが終了した後光源に印加される；ようにする１つ以上のプロセスを示す、ことを特徴とする照明制御装置が提供される。
【００１４】
ある実施例において、記憶された設定データが、プロセッサによって実行されると、プロセッサをして：
興味のあるパラメータが、興味のあるパラメータを検出する少なくとも１つのセンサーに応じて検出されたことを表す情報を示す１つ以上の無線信号を送信するよう送信機を制御させる；ようにする少なくとも１つのプロセスを示す。
【００１５】
ある実施例において、記憶された設定データが、プロセッサによって実行されると、プロセッサをして：
興味のあるパラメータが検出されたことを示す情報を表す１つ以上の無線信号を受信する受信機に応じて、検出されたことを示す情報を表す１つ以上の無線信号を送信するよう送信機を制御させる；ようにする少なくとも１つのプロセスを示す。
【００１６】
ある実施例において、興味のあるパラメータが検出されたことを示す情報を表す、受信機によって受信された１つ以上の無線信号が、興味のあるパラメータを検出した等位からの装置の分離を表す情報を含む。
【００１７】
ある実施例において、記憶された設定データが、プロセッサによって実行されると、興味のあるパラメータを検出した装置からの装置の分離を示す情報を表す１つ以上の無線信号を送信するよう送信機を制御させるようにする少なくとも１つのプロセスを示す。
【００１８】
本発明のある実施例に従って、
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
受信機を介して、プロセッサによって実行される１つ以上の更なるプロセスを示す設定更新データを受信し；
記憶された設定データを修正して、プロセッサによって実行される１つ以上の更なるプロセスを示す；
ことを含む、ことを特徴とする設定方法が提供される。
【００１９】
ある実施例において、設定方法が、送信機を介して、１つ以上の他の照明制御装置によって実行される１つ以上のプロセスを表す設定更新データを送信する。
【００２０】
ある実施例において、設定方法が：
受信機を介して、照明制御装置の設定を表す設定情報のための要求を受信し；
前記要求の受領に応答して、要求された設定情報を送信する；
ことを含む。
【００２１】
本発明のある実施例に従って、
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
１つ以上の他の照明制御装置から、１つ以上の他の照明制御装置の各検出領域、および、照明制御装置の検出領域と前記検出領域との間の各分離、の占有を示す占有データを受信し；
照明制御装置の検出領域の占有がないときにいつ光源を落として止めるかを決定するための、照明制御装置の前記検出領域と１つ以上の他の照明制御装置の検出領域との間の分離に基づき決定される、滞留時間を決定する；
ことを含む、ことを特徴とする方法が提供される。
【００２２】
本発明のある実施例に従って、
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
受信機を介して、前記照明制御装置と１つ以上の他の照明制御装置との間の無線送信をテストするための要求を受信し；
要求が前記照明制御装置によって受信されたことを視覚的に示すように、１つ以上の光源を制御し；
送信機を介して、１つ以上の他の照明制御装置による受領に対する無線送信をテストするための対応する要求を送信する；
ことを含む、ことを特徴とする設定方法が提供される。
【００２３】
本発明のある実施例に従って、
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
（ｉ）受信機を介して、前記照明制御装置と１つ以上の他の照明制御装置との間の無線送信をテストするための要求を受信し；
（ｉｉ）送信機を介して、および、対応する選択された無線送信出力で、１つ以上の他の照明制御装置により、受領のためのテストメッセージを送信し；
（ｉｉｉ）受信機を介して、１つ以上の他の照明制御装置からテストメッセージの受領を確認する応答メッセージを受信し；
（ｉｖ）各異なる無線通信出力に対し（ｉｉ）および（ｉｉｉ）のステップを繰り返し；
（ｖ）送信機による次の無線送信で使用する無線送信出力を選択するために、受信した応答メッセージおよび対応する無線送信出力を示すデータを処理する；
ことを含む、ことを特徴とする設定方法が提供される。
【００２４】
本発明のある実施例に従って、
１つ以上の光源を制御するための照明制御装置であって：
興味のあるパラメータを検知または検出するための少なくとも１つのセンサーと；
１つ以上の無線信号を１つ以上の他の照明制御装置に送信するための送信機と；
１つ以上の他の照明制御装置から１つ以上の無線信号を受信するための受信機と；
少なくとも１つのプロセッサおよびプロセッサと通信するメモリを有し、プロセッサによって実行される１つ以上のプロセスを示す設定データを記憶する制御装置と；を含む照明制御装置において：
送信機を介して、１つ以上の他の照明制御装置へメッセージを送信させ、ここで各送信されたメッセージはノードを複数のゾーンの少なくとも１つの対応するゾーンのメンバーであると識別するゾーンデータを含み；
無線受信機を介して、１つ以上の他の照明制御装置からメッセージを受信させ、ここで各受信されたメッセージは前記複数のゾーンの対応する１つを識別させるゾーンデータを含み；
メモリに記憶された１つ以上のルールに基づき、各受信されたメッセージをどのように処理するかを決定するとともに、メッセージに関連するゾーンに基づき、受信されたメッセージがプロセッサによってどのように処理されるべきかを定義させる；
ことを含む、ことを特徴とする設定方法が提供される。
【００２５】
また、ここでは、１つ以上の光源を制御するための照明制御装置であって、照明制御装置が：
興味のあるパラメータを検知するための少なくとも１つのセンサーと；
１つ以上の無線信号を１つ以上の他の照明制御装置に送信するための送信機と；
１つ以上の他の照明制御装置から１つ以上の無線信号を受信するための受信機と；
プロセッサおよびプロセッサと通信するメモリを有し、プロセッサによって実行される１つ以上のプロセスを決定する設定データを記憶する制御装置と；を含む照明制御装置が記載されている。
【００２６】
また、ここでは、照明システムの複数のノードのノードであって、前記ノードがピアツーピアマルチホップネットワークを使用してお互いに通信し、各ノードが：
無線信号を照明システムの他のノードに送信するための無線送信機と；
無線信号を照明システムの他のノードから受信するための無線受信機と；
対応する検出領域の少なくとも１つの特徴検出し、少なくとも１つの対応する出力を発生するよう構成された、少なくとも１つの検出構成要素と；
（ａ）（ｉ）検出構成要素の出力および（ｉｉ）前記ノードの１つ以上から受信された無線信号の１つ以上に基づき、対応する光源を制御し、
（ｂ）それらの対応する光源を制御するように前記ノードの他のものによって使用されるための無線信号を送信する、よう構成される制御装置と；
を含むノードが記載されている。
【００２７】
ある実施例では、少なくとも１つの検出構成要素の少なくとも１つの出力が、人の存在または不在を示す出力を含み、前記出力が人の存在を示すとき、ノードによって送信される無線信号が、他のノードにノードが人の存在を検出したことを示す無線信号を含む。
【００２８】
ある実施例では、前記ノードの１つ以上の他のものから受信された無線信号が、少なくとも前記ノードの前記１つ以上の他のものが人の存在を検出したことを示す無線信号を含み、ノードによって送信された無線信号が他のノードに少なくとも１つの他のノードが人の存在を検出したことを示す無線信号を含む。
【００２９】
ある実施例では、ノードによって送信され、他のノードに少なくとも１つの他のノードが人の存在を検出したことを示す、無線信号が、人の存在を検出した少なくとも１つの他のノードからのノードの空間分離を表すデータを含む。
【００３０】
ある実施例では、プロセッサは、
ａ．ノードの対応する検出領域における人の存在の検出、および、
ｂ．少なくとも１つの他のノードおよび前記人の存在を検出した少なくとも１つの他のノードからのノードの対応する空間分離による、人の存在の検出、
に基づき、対応する光源を制御するよう構成される。
【００３１】
ある実施例では、各ノードのプロセッサは：
前記ノードの無線受信機を介して、ノードの望ましい設定を表す設定データを受信し；
受信した設定データに従ってノードを構成し；
前記ノードの無線送信機を介して、受信した設定データを前記複数のノードの少なくとも１つの他のものに送信し；
それにより、前記ノードが設定データを受信する第１のノードを含み、設定データが次に他のノードに転送される、
ように更に構成される。
【００３２】
ある実施例では、各ノードのプロセッサは：
ユーザー装置からおよび前記ノードの無線受信機を介して、ノードの設定を表す設定データに対する要求を受信し；
前記要求の受領に応答して、要求された設定データをユーザー装置にノードの無線送信機を介して送信する；
ように更に構成される。
【００３３】
ある実施例では、各ノードのプロセッサは：
前記ノードの１つ以上の他のものから、前記ノードの１つ以上の他のものの各検出領域、および、前記ノードと前記検出領域との間の各分離、の占有を示す占有データを受信し；
ノードの検出領域の占有がないときにいつノードの光源を落として止めるかを決定するための、滞留時間を決定し、ここで滞留時間は前記ノードと前記検出領域との間の分離に基づき決定される；
ように更に構成される。
【００３４】
ある実施例において、各ノードのプロセッサは：
前記ノードの無線受信機を介して、前記ノードと前記複数のノードの１つ以上の他のノードとの間の無線送信をテストするための要求を受信し；
要求が前記ノードによって受信されたことを視覚的に示すように、１つ以上の光源を制御し；
前記ノードの無線送信機を介して、前記複数のノードの１つ以上の他のものによる受領に対する無線送信をテストするための対応する要求を送信する；
ように更に構成され、
ここで、前記ノードは、ユーザー装置からの無線信号の受領に応答して、前記複数のノードの前記第１のノードから他の第２のノードへ前記要求を送る処理を開始する第１のノードと、それらの間の無線通信の確認を提供する要求を受け取る第２のノードによって提供された視覚的開示と、第２のノートと第３のノードとの間の無線通信の欠如の開示を提供する、前記複数のノードの１つ以上の第３のノードにおける、視覚的開示の欠如と、を含む。
【００３５】
ある実施例において、各ノードのプロセッサは：
無線送信機を介して、前記ノードの１つ以上の他のものへメッセージを送信し、ここで各送信されたメッセージはノードを複数のゾーンの少なくとも１つの対応するゾーンのメンバーであると識別するゾーンデータを含み；
無線受信機を介して、前記ノードの１つ以上のものからメッセージを受信し、ここで各受信されたメッセージは前記複数のゾーンの対応する１つを識別させるゾーンデータを含み；
受信されたメッセージがプロセッサによってどのように処理されるべきかを定義する１つ以上のルールに基づき、各受信されたメッセージをどのように処理するかを決定する；
ように更に構成される。
【００３６】
また、ここでは、照明システムの複数のノードの各々による実行のための処理を表す、その上に記憶された実行可能な指示を有する、コンピュータ可読の記憶媒体であって、前記ノードがピアツーピアマルチホップネットワークを使用してお互いに通信し、前記ノードが：
無線信号を照明システムの他のノードに送信するための無線送信機と；
無線信号を照明システムの他のノードから受信するための無線受信機と；
少なくとも１つの光源と；
対応する検出領域の少なくとも１つの特徴検出し、対応する出力を発生するよう構成された、少なくとも１つの検出構成要素と；
（ａ）（ｉ）検出構成要素の出力および（ｉｉ）前記ノードの１つ以上から受信された無線信号の１つ以上に基づき、対応する光源を制御し、
（ｂ）それらの光源を制御するように前記ノードの他のものによって使用されるための無線信号を送信する、よう構成される制御装置と；
を含み、
ノードの制御装置によって実行される処理が：
前記ノードの無線受信機を介して、ノードの望ましい設定を表す設定データを受信し；
受信した設定データに従ってノードを構成し；
前記ノードの無線送信機を介して、受信した設定データを前記複数のノードの少なくとも１つの他のものに送信し；
それにより、前記ノードが設定データを受信する第１のノードを含み、設定データが次に他のノードに転送される、ことを含む、
記憶媒体が記載されている。
【００３７】
また、ここでは、照明システムの複数のノードのノードとともに使用されるための設定処理を表す、その上に記憶された実行可能な指示を有する、コンピュータ可読の記憶媒体であって、前記ノードがピアツーピアマルチホップネットワークを使用してお互いに通信し、前記ノードが：
無線信号を照明システムの他のノードに送信するための無線送信機と；
無線信号を照明システムの他のノードから受信するための無線受信機と；
少なくとも１つの光源と；
対応する検出領域の少なくとも１つの特徴検出し、対応する出力を発生するよう構成された、少なくとも１つの検出構成要素と；
（ａ）（ｉ）検出構成要素の出力および（ｉｉ）前記ノードの１つ以上から受信された無線信号の１つ以上に基づき、対応する光源を制御し、
（ｂ）それらの光源を制御するように前記ノードの他のものによって使用されるための無線信号を送信する、よう構成される制御装置と；
を含み、
処理が：
ユーザー装置から、前記ノードの選択されたノードの設定を表す設定データに対する要求を送信し、ここで要求はユーザー装置の無線送信機から送信され、前記要求の受領に応答して、選択されたノードは、要求された設定データを選択されたノードの無線送信機を介してユーザー装置に送信し；
ユーザー装置において、選択されたノードからの設定データを受信し；
受信された設定データを処理して、ユーザー装置のユーザーにディスプレイのための選択されたノードの設定を表すディスプレイデータを生成する；ことを含む、
記憶媒体が記載されている。
【００３８】
また、ここでは、照明システムの複数のノードの各々による実行のための処理を表す、その上に記憶された実行可能な指示を有する、コンピュータ可読の記憶媒体であって、前記ノードがピアツーピアマルチホップネットワークを使用してお互いに通信し、前記ノードが：
無線信号を照明システムの他のノードに送信するための無線送信機と；
無線信号を照明システムの他のノードから受信するための無線受信機と；
少なくとも１つの光源と；
対応する検出領域の少なくとも１つの特徴検出し、対応する出力を発生するよう構成された、少なくとも１つの検出構成要素と；
（ａ）（ｉ）検出構成要素の出力および（ｉｉ）前記ノードの１つ以上から受信された無線信号の１つ以上に基づき、対応する光源を制御し、
（ｂ）それらの光源を制御するように前記ノードの他のものによって使用されるための無線信号を送信する、よう構成される制御装置と；
を含み、
ノードの制御装置によって実行される処理が：
前記ノードの１つ以上の他のものから、前記ノードの１つ以上の他のものの各検出領域、および、前記ノードと前記検出領域との間の各分離、の占有を示す占有データを受信し；
ノードの検出領域の占有がないときにいつノードの光源を落として止めるかを決定するための、滞留時間を決定し、ここで滞留時間は前記ノードと前記検出領域との間の分離に基づき決定される；ことを含む、
記憶媒体が記載されている。
【００３９】
また、ここでは、照明システムの複数のノードの各々による実行のための処理を表す、その上に記憶された実行可能な指示を有する、コンピュータ可読の記憶媒体であって、前記ノードがピアツーピアマルチホップネットワークを使用してお互いに通信し、前記ノードが：
無線信号を照明システムの他のノードに送信するための無線送信機と；
無線信号を照明システムの他のノードから受信するための無線受信機と；
少なくとも１つの光源と；
対応する検出領域の少なくとも１つの特徴検出し、対応する出力を発生するよう構成された、少なくとも１つの検出構成要素と；
（ｖｉ）ａ．検出構成要素の出力およびｂ．前記ノードの１つ以上から受信された無線信号の１つ以上に基づき、対応する光源を制御し、
（ｖｉｉ）それらの光源を制御するように前記ノードの他のものによって使用されるための無線信号を送信する、よう構成される制御装置と；
を含み、
ノードの制御装置によって実行される処理が：
前記ノードの無線受信機を介して、前記ノードと前記複数のノードの１つ以上の他のノードとの間の無線送信をテストするための要求を受信し；
要求が前記ノードによって受信されたことを視覚的に示すように、１つ以上の光源を制御し；
前記ノードの無線送信機を介して、前記複数のノードの１つ以上の他のものによる受領に対する無線送信をテストするための対応する要求を送信する；ことを含み、
ここで、前記ノードは、ユーザー装置からの無線信号の受領に応答して、前記複数のノードの前記第１のノードから他の第２のノードへ前記要求を送る処理を開始する第１のノードと、それらの間の無線通信の確認を提供する要求を受け取る第２のノードによって提供された視覚的開示と、第２のノートと第３のノードとの間の無線通信の欠如の開示を提供する、前記複数のノードの１つ以上の第３のノードにおける、視覚的開示の欠如と、を含む、
記憶媒体が記載されている。
【００４０】
また、ここでは、照明システムの複数のノードの各々による実行のための処理を表す、その上に記憶された実行可能な指示を有する、コンピュータ可読の記憶媒体であって、前記ノードがピアツーピアマルチホップネットワークを使用してお互いに通信し、前記ノードが：
無線信号を照明システムの他のノードに送信するための無線送信機と；
無線信号を照明システムの他のノードから受信するための無線受信機と；
少なくとも１つの光源と；
対応する検出領域の少なくとも１つの特徴検出し、対応する出力を発生するよう構成された、少なくとも１つの検出構成要素と；
（ａ）ａ．検出構成要素の出力およびｂ．前記ノードの１つ以上から受信された無線信号の１つ以上に基づき、対応する光源を制御し、
（ｂ）それらの光源を制御するように前記ノードの他のものによって使用されるための無線信号を送信する、よう構成される制御装置と；
を含み、
ノードの制御装置によって実行される処理が：
無線送信機を介して、前記ノードの１つ以上の他のものへメッセージを送信し、ここで各送信されたメッセージはノードを複数のゾーンの少なくとも１つの対応するゾーンのメンバーであると識別するゾーンデータを含み；
無線受信機を介して、前記ノードの１つ以上のものからメッセージを受信し、ここで各受信されたメッセージは前記複数のゾーンの対応する１つを識別させるゾーンデータを含み；
受信されたメッセージがプロセッサによってどのように処理されるべきかを定義する１つ以上のルールに基づき、各受信されたメッセージをどのように処理するかを決定する；ことを含む、
記憶媒体が記載されている。
【図面の簡単な説明】
【００４１】
本発明のある実施例は、添付図面を参照してほんの一例として、以下に記載される、ここで：
【図１】図１は、本発明の記載された実施例に従う、照明制御装置またはセンサーノードのブロック図であり；
【図２】図２は、本発明のある実施例に従う、照明制御装置またはセンサーノードの斜視図であり；
【図３】図３は、図２の照明制御装置と、蛍光灯および関連するバラストと、照明出力制御装置と、を含むインテリジェント照明器具または照明ノードの線図的な平面図であり；
【図４】図４は、図３の照明器具などの照明ノードのアレイを構成する照明システムの典型的な操作を示す線図的側面図であり；
【図５】図５は、オフィス環境における占有者を取り囲む各異なる照度のゾーンを示す斜視図であり；
【図６】図６は、各占有者を取り囲む異なる照明包絡線となる、異なる照明設定または雰囲気の使用の線図であり；
【図７】図７は、本発明のある実施例に従う、グループ設定処理のフロー図であり；
【図８】図８は、本発明のある実施例に従う、設定要求処理のフロー図であり；
【図９】図９は、本発明のある実施例に従う、送信範囲要求処理のフロー図である。
【発明を実施するための形態】
【００４２】
その全体が参照により本明細書に援用される、照明装置、方法、および、システム（「センサーノード特許出願」）との名称の、国際特許出願Ｎｏ．ＰＣＴ／ＡＵ２０１１／０００４５９は、複数の照明制御装置または「センサーノード」が、ピアツーピアマルチホップネットワークを使用してお互いに通信して臨時の無線ネットワークを形成する、照明システムおよびアーキテクチャーを開示している。図１に示すように、各センサーノード１００（それは、一般的にしかし必然的ではないが、それが制御する光源１０２に近接して配置される）は、無線信号を他のセンサーノードへ送信するための無線送信機１０４と、無線信号を他のセンサーノードから受信するための無線受信機１０６と、興味のある少なくとも１つのパラメータ（例えば占有者の存在および／または間接照明レベル）を検出または検知して対応する出力を発生するよう構成された、少なくとも１つの検出構成要素またはセンサー１０８と、照明出力制御装置１１２によりセンサーノード１００に関連して少なくとも１つの光源１０２を制御するための、プログラム可能なインテリジェント制御装置１１０と、を含んでいる。必要に応じて、センサーノード１００は、また、例えばＷｉＦｉトランシーバモジュールまたはＧＰＳモジュールなどの１つ以上の付加的な構成要素１１４を含むことができる。
【００４３】
各センサーノードの制御装置１１０は、（ｉ）各検出構成要素１０８の出力、（ｉｉ）受信機１０６によって１つ以上の他のセンサーノードから受信された無線信号、（ｉｉｉ）制御装置１１０内に存在するまたは制御装置１１０に付随するメモリ内に記憶されたデータ、または、（ｉｖ）（ｉ）、（ｉｉ）および（ｉｉｉ）の任意の組み合わせ、に基づき、それに関連した光源１０２を制御するよう構成されている。制御装置１１０は、また、送信機１０４をして、他のセンサーノードによって使用される無線信号をそれら自身の光源を制御するために送信するように構成されている。
【００４４】
相互にピアツーピア通信状態にある、これらのセンサーノード１００（およびそれらに関連した照明出力制御装置１１０および光源１０２）は、それらの効果のいくつかはセンサーノード特許出願で記載されているが、先行技術の照明システムを超える多くの効果を提供する、インテリジェントで設定可能な照明システムを構成する。
【００４５】
照明制御装置またはセンサーノード２００の一実施例の斜視図が、図２に示されている。この実施例において、照明制御装置２００は、モーションセンサー２０２および間接光センサー２０４の形態の検出構成要素を含み、無線受信機および送信機が、赤外線（ＩＲ）受信機２０６および赤外線送信機２０８の形態で設けられている。照明制御装置２００は、また、ステータス指示器２１０と、制御装置のファームウェア（図２に視覚的に示されていないが）のインストールやリプレースを可能とする、対応するプログラマーが直接接続するためのインフィールドファームウェア更新ポート２１２と、を含む。しかしながら、以下に記載するように、これはまた無線手段によっても達成することができる。
【００４６】
図３は、インストールのため本線の電源３１０の実装および接続のみが要求される、一体でインテリジェントな照明器具または照明ノード３００を提供するために、蛍光灯３０４および関連するバラスト３０６および照明出力制御装置３０８を有するハウジング３０２中へ、図２のセンサーノード２００をどのようにしてインストールするのかを示す線図である。
【００４７】
図４は、図３に示されたインテリジェント照明器具３００などのインテリジェント照明ノードのアレイからなる、照明システムの操作の一モードを示す、照明されたスペースの線図的側面図である。第１のセンサーノード４０４のモーションセンサーの下を歩く人物４０２は、モーションセンサーをして、モーションセンサーの視野または検出領域中のモーションの検出を表す信号を出力するようにする。そのノードの制御装置は、信号を受信し、対応する制御信号をノードに関連する照明出力制御装置に出力することによって、その関連する光源を設定可能な出力セッティング（例えば１００％）に制御する。また、制御装置は、ノードの送信機をして、そのモーションセンサーによってモーションの検出を表す無線信号を出力するようにする。以下の記載により明らかになる理由により、これらの信号はここで「レベル１」の信号と参照される。
【００４８】
記載された実施例において、送信機は、赤外線（ＩＲ）光送信機であり、送信されたＩＲ信号が、フロア４０８および／またはＩＲ信号４０６によって照明された家具から反射される発散コーン４０６の形態で下向きに向き、反射されたＩＲ信号４１０の範囲内の他のセンサーノードによって受信され得る反射されたＩＲ信号４１０を提供するように、設定される。
【００４９】
この例において、反射されたレベル１のＩＲ信号４１０は、第２の照明ノード４０６の受信機によって受信され、第２のノード４０６に、その直近に隣接するノード（すなわち１ホップ離れた）がモーションを検出したことを示す。従って、第２のノード４０６は、それ自身の光源を対応する照度（例えば８０％）に制御し、受信するノードから２ホップ離れて間隔を開けたノードがモーションを検出したことの情報を表す、それ自身のＩＲ信号４１４を送信する。従って、これらのＩＲ信号４１４はここで「レベル２」の信号として参照される。
【００５０】
この処理は連続され、ＩＲ信号４１４は再び床４０８から反射され、第３のセンサーノード４１８によって受信された反射したＩＲ信号４１６を提供する。第３のセンサーノード４１８は、そのため、モーションがそこから２ノード離れた位置で検出されたことを知らされ、その応答として、それ自身の光源を対応する照度（例えば６０％）に制御し、更なる受信センサーノードに、モーションが３ノード離れた位置で検出されたことを示す、対応する「レベル３」のＩＲ信号４２０を送信する。この処理は、モーションを検出したノードから受け取るノードの空間分離が、その点でノードがこれ以上ＩＲ信号を送信しない設定可能なしきい分離値（例えば５ホップ）に達するまで、続けられる。
【００５１】
図４に示された線図的表示は単に一次元であるが、実際のノードからノードへの無線信号の送信、従って対応する光源の制御は、図５に示すように、二次元で起きることが理解される。近接するセンサーノード間の空間的分離（またはホップの数）という意味での空間的分離の従属関係を考慮すると、異なる空間的分離（信号によって表された「レベル」またはホップ数に対応する）は、各照度の各モーションゾーンを定義する。そのため、図５において、人の動きは、同心の照明、一般的には、（典型的に）最大照度（「Ｌ１」）の中心円形ゾーンの周りに配置された（図５において「Ｌ５」、「Ｌ４」、「Ｌ３」および「Ｌ２」として表された）各照度の環状領域、を発生する。
【００５２】
ノードは、製造プロセスの部分として、あるいはインストール中または現場で、さらにはインストール後いつでも、希望通りプログラムあるいは再プログラムされるため、照明システムのセンサーノード（以後簡単のために単に「ノード」として参照される）は、プラットホームと見なされる。ノードを希望通り再設定するこの能力は、システム全体が、強化機能を提供し、必要に応じて設定および応用をサポートすることを可能とする。特に、センサーノードは、各ノードがそれ自身の光源を制御するために使用するプロセスまたはアルゴリズムを変更するだけでなく、照明に関連するか他のものに関連するかによらず、どのようにしてノードがお互いにデータを交換するのかおよびどのデータが交換されるのか、をプログラムされることができる。
【００５３】
グループ設定
理論上先行技術が解決する照明システムの集中的な性質はそれらの設定を促進することだが、実際のところ、このプロセスは、仮想の構成要素をそれらの実際の対応物にマッピングする時間をエンジニアに費やす点で、および、種々のシステムおよび構成要素が正しく相互に通信していることを確実にする点で、複雑で時間がかかる。これは、照明およびエネルギーの使用を最適化して占有者に満足を提供するために、個々のライトまたは照明ゾーンの操作を直接プログラミングする工程を難読化することができる。
【００５４】
その一方、ここにおよびセンサーノード特許出願に記載された分散インテリジェンスシステムは、「難しい設定なし」すなわちインストールに特別の設定を必要とせずに満足に操作できるので、設定を必要としない。
【００５５】
分散インテリジェンスアーキテクチャー
照明システムの分散インテリジェンスアーキテクチャーの実質的な利点は、そのロバスト性にある。各センサーノードは自給自足できるため、通信の整合性は、突発故障を回避するために必須の要求ではない。各ノードは、ノードで利用可能な情報に基づき、それに関連した光源を制御するよう設定される。限られた情報でも受け入れることができるシステム性能を発揮するが、より多くの情報は一般的により良い制御に至る。さらにまた、集中制御の排除により、ライトおよびセンサーシステムの仮想マッピングを生成する必要がない。
【００５６】
動作設定および雰囲気
ピアツーピア照明システムの分散アーキテクチャーは、各光源と共同設置されたセンサーノードによって局所的な決定を可能とする。環境条件の所定のセットに対しその光源の応答を決定するために、各ノードによって使用される多数のパラメータがある。これらのパラメータは、光出力および滞留時間、低ルクスの出力および低ルクスの滞留時間、を含む。所定の照明設定に対するノードの応答は、そのノードの環境によって、例えば、そこが、開かれたオフィス内なのか、カーパーク内なのか、または、坑道内なのか、によって、異ならせることができる。ノードは、製造中に、基準インストール状態に好適な動作を提供する照明雰囲気のセットで、予め設定することができる。ユーザーは、以下に記載するように、それらの選択に基づいて、対応するパラメータを実質的に調整することができる。
【００５７】
例えば、図６は、各ノードから異なる分離でのモーションの検出から結果として得られる照度包絡線を決定するために、センサーノードの制御装置内にプログラムできる、異なる照明設定または「雰囲気」の１つの実施可能なセットを示す線図である。例えば、「極限節約」照明設定６０２は、１センサーノードの分離または検出されたモーションからの間隙における位置あるいはその内部における位置で１００％照度、２分離で４０％照度に減少し、３分離で２０％照度に減少し、それより大きい分離で０％照度に減少する、照度を提供するものとして定義される。そのため、この照明設定は、各占有者を取り巻く直近では強い照明の結果となるが、より離れた位置では大変弱い照明の結果となる。明らかに、この照明設定包絡線６０２は、占有者に対する快適性の費用としてより少ないエネルギーの消費の結果となる。
【００５８】
その一方、「オープンフロア」照明設定６０４は、占有者の１ノード分離内の位置で同じ照度を提供するが、１ノード分離および２ノード分離の間の位置で照度を４０％から７０％増加させ、２ノード分離および３ノード分離の間の位置で照度を２０％から４０％増加させ、外側の照明限界を３ノード分離から１５ノード分離へと拡げ、従って低強度の大変大きい照明ゾーンを提供する。
【００５９】
最後に、第３の「コリドー」照明設定包絡線６０６は、各占有者から１０ノードの最大分離だが７０％の相対的に高い照度の最大照明を提供する。
【００６０】
各ライト専用に設けられたセンサーおよびマイクロプロセッサは究極の最適化を可能とする
先行技術において、ハイエンドの集中型制御システムは、しばしば個々のアドレス可能性として知られている個々のライトの制御を考慮する。そのようなシステムにおいて、選択された個々にアドレス可能な光源を制御する際、中央コンピュータは、センサーの分散セットから情報を受信し、検出した情報およびその情報が選択された光源のもとでどのような環境状態に関連しているのかに基づき、計算を行うために仮想マッピングと共に受信したセンサー情報を処理し、それらの計算から、適切な指示を決定し、望ましい照明結果を達成するために光源を制御するために使用されるデータを制御する。
【００６１】
ここに記載されたピアツーピアの照明システムは、各光源にセンサーおよび制御装置のセットを専用とすることによって、および、局所的に判断することによって、性能および単純化における実質的改良を提供する。制御装置を光源と同じ箇所に位置させる（そして、典型的には、しかし必然的ではないが、両者を通常のハウジング（例えば、図３に示すような照明器具の形態で）に配置する）ことによって、制御指示を実行するための仮想マッピングや分散通信システム（有線、無線を問わず）の要求を除去できる。センサーを各光源専用とすることで、仮想マッピングのための要求を再び除外でき、解析を行ったり、遠くに位置するセンサーの情報に基づき所定の光源の状況について推定したりすること、の必要は除外される。
【００６２】
作業照明および光束維持
システムは、また、各位置で実行される作業に好適な、すべての所定の位置での正確な光束維持を考慮する。例えば、照明ノードが鉢植えの上に位置する場合、それはウォッチメーカーの仕事台を照明する場合と比べてより低い照度にセットされる。重大なことは、システムは、また、ウォッチメーカーが彼の仕事台にいる時を知っていて、そのため、占有者が存在する時だけ望ましいレベルに照明するよう設定される。これが一般的に作業照明として参照される。
【００６３】
さらなる強化は、光源の照明効果；例えば、蛍光灯における光出力の劣化や発光ダイオード（ＬＥＤ）における温度効果；に影響を与えるファクタを補正する光束維持機能を提供する、記載されたシステムの能力である。各センサーノードが専用の間接照明センサーを含む実施例において、ノードの光源は、その効率が落ちた時光源を自動的に硬く駆動する特定の輝度を供給するよう制御される。
【００６４】
単一ノード設定プロセス−ハンドヘルド装置
ここに記載されたシステムは、占有者によっても他のメンバーによっても、個々の光源（すなわちノード）の制御が、他の光源（ノード）とは独立して再設定されることを可能としている。独立したノード設定の重要な利点は、ノード（その場）の直下に立ちながら、簡単なハンドヘルド装置（例えば、スマートフォン、赤外線リモート制御など）を使用してなすことができる点にある。これは、設定が、集中システムのように、離れた（そして通常ロックされた）位置で、あるいは、翻訳の技能を要求する仮想表現を介して、実行されないため、ユーザーによる照明パラメータの制御を高いレベルで可能にすることを促進する。それは、また、設定を実行するメンバーが、その光源（ノード）によって照明される特定の環境を正しく評価し、自分自身の感覚を介して、および／または、付加的に、例えば、ハンドヘルド光度計を使う、ことを可能とする。
【００６５】
システムは、また、個々の占有者が、インドア環境の関連で占有者の環境的な快適バンドを拡げるために明示され、言い換えると、減少したエネルギー消費を許すように、自分自身のライトを制御することを可能とする。個人が調整したいと思う変数のいくつかは、スペースが占有される間の照明ノードの光出力または照明、および、それが光源を消灯する前のノードのセンサー（一般的には、その出力が人の存在を検出または推察するために使用される、モーションセンサーまたは他のセンサー）の滞留時間、を含む。
【００６６】
グループ設定プロセス
その場で照明ノードを設定する能力は、照明システムの重要な利点である。しかしながら、ライトのすべてのアレイを永久に同じセッティングにセットすること、または、開始点としての個々の設定を支援すること、が好ましいというシナリオがある。例えば、オフィスでの単調な仕事は、しばしば大変一定の仕事であり、大変高い照明（ルクス）レベルを提供するよう設計される。関連する照明コードを満たすために要求される光出力のパーセントが１つの位置で決定される場合、同じ設定においてすべてのライトフィッティングに対し同様である。他の例において、特定の運営管理者は、省エネルギーに積極的であり、占有者が存在する時に時折ライトが消灯することを犠牲にして、大変短いモーションセンサーの滞留時間を望む。そのようなシナリオにおいて、バルク設定のより集中化した方法を有することが好ましい。
【００６７】
ある実施例において、多くのノードの再設定可能性はノードのグループまたはセットの各ノードによって実行されたグループ設定プロセスによって促進され、ここで、１つのノードによって（例えば、ハンドヘルドユーザー装置から）受信された設定データは、設定を他のノードに伝播するために、グループの他のノードにリレーされる。
【００６８】
シナリオの例が図７のフロー図に示されている。ステップ７０２において、ユーザーは、例えばスマートフォンなどのハンドヘルド装置を使用して、個々のノードを設定する。ユーザーが、ノード設定に満足し、同じ部屋またはゾーン（以下を参照）中の他のライトにも同じまたは対応する設定を持たせたい時は、ステップ７０４において、ユーザーはグループ設定プロセスを実行するようノードに指示する。
【００６９】
グループ設定プロセスを実行するためのコマンドの受領に応答して、ステップ７０６において、ノードは、ユーザーによってセットされたように、それ自身の設定を表す設定データを検索または発生し、次に、その無線送信機から設定データを転送または送信する。
【００７０】
ステップ７０８において、最初のノードによって発生された無線信号範囲内の互いのノードは、送信された設定データを受信し、受信した設定データに従ってそれ自身の設定を更新し、それ自身の無線送信機から設定データを再送信する。このようにして、設定データおよびノード設定は、すべてのノードがステップ７１４で設定データに従って設定されるまで、ステップ７１０、７１２において、ピアツーピアの方法で、最初のノードから他のノードに伝播する。
【００７１】
以上のことから、各ノードが設定データを１回以上受信することは明らかである。特に、どの特定ノードも、一般的にその所定ノードから設定データを受信した各ノードから、再び設定データを受信する。ノード間の信号の干渉につながる、複数ノードによるほぼ同時の重複通信の潜在的な問題は、メッセージをリレーされる前のランダム遅延周期を待つ各ノードによって、ほぼ完全に避けることができる。１回以上メッセージを（第２およびそれに続く送信の前の他の段ラム遅延とともに）リレーすることによって、いかなる偶発的な干渉も克服されるか緩和される。当業者が知っている、標準不調和防止方法およびプロトコルに基づく方法を含む、不調和を避けるための多くの他の可能性のある配置は、当業者にとって明らかである。
【００７２】
ある実施例において、グループ設定プロセスの無限ループを避けるため、送信された設定データは、再送付に先立つ各受信ノードによってインクリメントされ、ホップの数を制限するために使用される、インデックスまたはホップカウントを含む。他の実施例において、各ノードは、その再設定に続きタイマーをスタートさせ、すでにリレーされたものと同一であり、対応するタイマーが終了する前に受信した、いかなる設定データまたは設定コマンドを無視する。ある実施例において、オリジナルノードは、設定データに含まれるランダム数を発生し、各ノードは、次に、所定期間ランダム数を記憶し、記憶した数を続いて受信された設定データのいずれかに含まれるランダム数と比較し、それにより、ノードはすでに使用された設定データを無視する。
【００７３】
設定問い合わせ
一般に、各ノードがどのようにして設定されたかを知ったり記憶したりする必要はない。しかしながら、ノードがどのようにして設定されたかを知ることが望ましい場合、ユーザーは、そのようなノードに設定質問コマンドを送ることによって、１つ以上のノードに問い合わせることができる。これは、例えば、選択したノードの下に立っていて、ノードの無線受信機と通信できるスマートフォンやＩＲ制御装置などのハンドヘルド装置を使用する、ユーザーによってなすことができる。
【００７４】
例えば、図８は設定質問プロセスのフロー図である。上述した単一ノード設定プロセスまたはグループ設定プロセスのいずれかを使用して、ステップ８０２でセンサーノードを設定した後、ステップ８０４において、ユーザーは、ハンドヘルドＩＲ制御装置から設定質問要求を送信する。ステップ８０６において、ノードは、設定要求を受信し、それに応答して、それの現在の設定を表す設定情報をユーザー装置に送信する。ステップ８０８において、ユーザー装置は、設定データを受信し、ノードの設定をユーザーに表示する。必要に応じて、ユーザー装置のあるいはユーザー装置と関連する記憶装置に設定情報を保存することができる。
【００７５】
適応モーション滞留時間
ライトを制御する多くのモーションセンサーの重大な欠点は、最低レベルの動きがないと占有者を検出することがしばしば不十分なモーションセンサーの感度であり、その結果、占有者が存在する不適切な時に、ライトが消灯されたり調光されたりする。この問題の影響を減少させるための１つの方法は、占有者をもはや検出できなくなったのち指定期間の間ライトの点灯を維持するために使用され、モーションセンサーが占有者を検出するたびにリセットされる、滞留時間を使用することである。しかしながら、滞留時間の値の選択は、占有者の快適さとエネルギー効率との間の危険な綱渡りであり：滞留時間が長すぎて多くのエネルギーが必要な場合は、空いているスペースを照明する無駄となり；反対に、滞留時間が短すぎる場合は、モーションセンサーを駆動するために、占有者に単独で自発的な動きを強制することによって、占有者を混乱させるリスクがある。
【００７６】
ここに記載された照明システムは、システム内の以下のそれ自身が有する冗長性のため、この問題を大幅に解決する：
１．いくつかの照明器具のゾーンを扱う１つの広角センサーを有する従来のシステムとは対照的に、各センサーが対応するノードが照明されている領域を扱う、人の占有を表す出力を発生するセンサー（モーションセンサーであってもなくてもよい）のアレイが存在する。これは、見えない場所がないことを意味し；例えば、柱や隔壁がモーションセンサーの視覚を邪魔しない。先行技術の照明システムにおいては、実際に立ち上がってモーションセンサーが占有者を検出できる領域まで歩かすこと、を占有者に強制することが、しばしば起こる。
２．センサー間に重複部分があり、このことがいくつかのモーションセンサーが所定の占有者を見ることを可能とする。これは、特定の角度のモーションセンサーに見えない微小動作が、異なる画角を有する異なるモーションセンサーを起動すること、を意味する。
３．いかなる所定のライトも、それ自身に専用の（例えばモーション）センサーによってのみではなく、隣接のセンサーノードからそこに送信された占有情報によって、起動される。そのため、ある人は動かないが対応する照明ノードのセンサーを起動させる近くの他の占有者がいる場合、動かない占有者上のライトは点灯した状態を保つ。
４．各ライトを個々に簡単に設定する能力は、異なるセンサーノードに異なる滞留時間を持たせることを可能とし、そのため、特にライトを消灯しがちなある占有者がいる場合、そのノードの滞留時間は、システム中の他のノードの滞留時間を延長することなく、簡単に延ばすことができる。このことは、エネルギー消費を著しく増加させることなく、改良された照明状態の結果となる。
【００７７】
以上の特徴は、ここに記載された分散インテリジェンスピアツーピア照明システムにおいて固有のものである。しかしながら、上記ポイント３は、占有者がオフィスで一人の場合当てはまらない、ことは明らかである。占有者の上の照明ノードは、しかしながら、他のだれもが近くにおらず（他のノードから、または、少なくとも遠く離れたノードから、受信したメッセージがないため）、そのため、その動作をそれに応じて変えることができることに気付く。ある実施例において、各ノードは、占有情報が離れたノードから受信されたかどうかに基づき、その滞留時間を選択する。特別の滞留時間およびノード分離しきい値（すなわち、人の存在を検出する、受信ノードと送信濃度との間のノードの数であり、または、その数に対応している）は、ユーザーが設定可能なパラメータである。そのため、システムは、適応存在滞留時間を使用すると言うことができる。
【００７８】
通信テスト範囲およびキャリブレーション
ある実施例において、ここに記載された照明システムは、環境に敏感な無線ピアツーピア通信に依存する。その結果、ある環境では、通信は使用のみで保証されず、ノードがどれほど互いに信頼性高く通信できるかを確かめることを目的とする、送信範囲テストが要求される。
【００７９】
この潜在的な問題を扱うために、ある実施例において、ノードは、図９に示されているように、要求に応じて範囲テストプロセスを実行するよう設定されている。例えば、ステップ９０２において、ユーザーは、そのノードの下に立って、無線（例えば、赤外線（ＩＲ）、Ｗｉ−Ｆｉ、Ｚｉｇｂｅｅ、Ｂｌｕｅｔｏｏｔｈなど）の送信機を備える専用の制御装置の形態の、または、ポータブルまたはタブレットコンピュータあるいはスマートフォンなどの汎用の装置の形態の、ハンドヘルド通信装置からコマンドを出すことによって、範囲テスト要求またはコマンドを発行できる。
【００８０】
ノードは、範囲テスト要求を受信し、要求がそのノードによってうまく受信されたことを示す視覚的な指示（例えば、オンとオフとを３回フラッシュまたはブリンクすることによって）を提供するよう、光源を制御する。設定可能だが通常は短い遅延（例えば１秒）の後、ステップ９０４において、ノードは、その無線送信機を介して、送信するノードの無線範囲内の１つ以上の他のノードによる受領に対し、対応するテスト要求を送信する。第１のノードと同様に、ステップ９０６において、信号を受信する各ノードは、要求がそのノードによってうまく受信されたことを示す視覚的な指示を提供するよう、その光源を制御する。要求は、ノードからノードに伝播またはホップし、ユーザーが、テスト要求をうまく受信したノードによって発生された視覚的な指示の方法で、通信（またはその欠如）を視覚化できるようにする。
【００８１】
ある実施例において、視覚的な指示は、要求がノードに到着する前に通過した送信元ノードからのホップ数を表している（例えば、フラッシュの数はホップの数と同じである）。また、上述した設定プロセスと同様に、ノードは、上述した方法により続くテスト要求を無視することもできる；例えば、タイマーまたはテスト要求に含まれたランダム数を使用することによって。他の変形やオプションは、この開示に照らして、当業者にとって明らかである。
【００８２】
二地点間通信の最適化
各ノードが、より離れたノードではなくそのすぐ隣のノード（すなわち、少なくとも中間で最も近いノードが存在するところ）と、直接通信することが、一般的に望ましい。通信性能をテストするため、各センサーノードは二地点間テスト（Ｐ２ＰＴ）プロセスを実行可能である。これは、自己実行することもでき、ユーザーによって開始することもできる。テストプロセスの目的は、隣接するセンサーノード間の通信の信頼性を最適化または改良することである。テストは、テストメッセージのセットを表す無線信号を送信し、次に、送信されたテストメッセージの受領に応答して、他のノードによって送信された対応する無線信号を受信する、ノードを含んでいる。テスト中、そのうちの１つが信号強度である、１つ以上の無線信号送信パラメータが変化する。テストに続き、解析は受信された応答信号について実行され、ノードの制御装置は、次に、他のノードとの通信を最適化するために、好ましい信号送信パラメータを決定する。Ｐ２ＰＴ設定を行う他のセンサーノードをアシストするために、ノードは、それ自身の送信パラメータを表すデータを含むＰ２ＰＴ応答メッセージに応答するよう設定される。ノードは、ホップの一定の数までの他のノードに、テストメッセージを伝播するよう設定される。
【００８３】
ある実施例において、センサーノードは、他のノードとの通信を最適化するため、テストモード（テストノード）に入る。テストノードは、対応する所定の範囲を横断する、少なくとも１つの無線通信パラメータをテストする。例えば、パラメータは、無線信号送信強度とすることができ、１Ａと２Ａとの間で変化させることもてきる。１０個のテストメッセージは１Ａで送信され、制御装置は、Ｐ２ＰＴ応答メッセージを戻す異なるノード（隣接ノード）がいくつあるか、および、それらの各々から受信された応答の信頼性、を記憶する。これらの応答の不一致は、上述した方法のいずれかを使用することによって、減少する。
【００８４】
テストメッセージの同等のセットは、次に、１．１Ａのより高い通信強度で送信され、これは、次に、送信出力のテストされた範囲で繰り返される。テストに続き、結果は、各信号強度に対し、どの隣接ノードが直接（すなわち単一ホップの）隣接ノードなのか、および、どれが２ホップ以上離れているのか、を判断するために、テストノードによって解析される。テストノードは、次に、パラメータに対して好ましい設定を選択し、この例では、それが無線信号送信強度である。
【００８５】
Ｐ２ＰＴを行う他のセンサーノードをアシストするため、種々の設定が、Ｐ２ＰＴ応答メッセージが最も有益であることを保証するために、使用されている。例えば、ノードは、それらが送信（テスト）ノードによって受信されることを保証するため、Ｐ２ＰＴ応答メッセージが、常に、最大信号送信強度で送られるように、設定されている。また、ノードは、それらが、受信ノードが送信元テストノードからどの程度離れているのかに拘わらず、発信元でないＰ２ＰＴ応答メッセージを受信する場合、それらが「レベル２」のＰ２ＰＴ応答メッセージを送るように、設定されている。（センサーノードの特許出願に記載されているように、ピアツーピアのリレーされた「レベルｎ」のメッセージ（ここで、ｎは整数＞０である）は、メッセージを発生したノードからのホップ数として値ｎを含むか表しているメッセージである）。ノードは、また、送信を最適化するために、それ自身から発信された反射信号の強度を測定することができる。
【００８６】
通信波長および可視光の調和
記載されたピアツーピア照明システムの実質的な利益は、隔壁やオフィスレイアウトの移動のような、環境の変化に適合させる能力である。ある実施例において、高い柔軟性は、無線通信が可視光と同様な性質を有する所で、その能力を増す。照明システムの機能は、もはや占有者が光源を「見る」ことができないような障害が導入される状態で、占有者に光りを提供することであるため、もはや光源が占有者の存在に反応しない場合に、意味をなす。
【００８７】
その結果として、無線送信機が赤外線送信機である実施例において、システムの光学照明機能と光学ピアツーピア通信手段との間の結果としての対応性は、非光学通信手段を使用する設定を超える機能的な利点を提供する。
【００８８】
ゾーン分け
ここに記載された照明システムは、その基本的な簡単さで洗練されており、大きな柔軟性を可能とし、実際、その処理の潜在的な複雑さを可能とする。センサーノードの特許出願は、各照明ノードが、最も近い占有者がノードにどれだけ近いかに依存する、事前にプログラムされた照明出力を使用することによって、異なる照明状態の範囲内で行動する種々の方法を記載している。
【００８９】
しかしながら、異なる領域を横断するノードの反応を変更することを望む状態がある。例えば、ミーティングルームのライトとして、廊下に位置する隣接するノードから受信した信号に応答して、見えるようにすることは望ましくない。この問題の１つの解法は、対応するゾーン（またはグループ）識別子によって識別された特性の「ゾーン」またはグループのメンバーとして、センサーノードを設定し、その無線送信機中にゾーン識別子を含ませ、他のノードのゾーン識別子に依存して、ノードが他のノードのそれぞれから受信した無線信号をどのように取り扱うかを決定するルールを定義することである。
【００９０】
ゾーン識別子および関連したルールの使用が、動作に大きな柔軟性を与えることは、以上のことから明らかである。多分、最も一般的な設定は、それ自身以外のゾーンからの信号を武士するようノードに伝えるルールを定義することだが、より複雑なルールを他の機能をシステムに提供するよう定義できることも明らかである。他の簡単な実施例において、２つの隣接するゾーンＡおよびＢのノードは、ゾーンＡから他のゾーン（Ｂ）への信号の処理は認め、他の方向の処理は認めないよう設定される。
【００９１】
望ましいアプリケーションにより、各送信機中のゾーン識別子は、（前回のホップである）送信ノード自身（そのノードが他のノードから受信したメッセージを単に伝播または送る所）に関連したゾーンを識別し、あるいは、ゾーン識別子は、ノードからノードへ伝播するメッセージを最初に発生した送信元ノード（多くのホップ離れている）のみと関連するゾーンを識別する。
【００９２】
ダイナミックモーションしきい値
照明システムのある実施例において、コストまたはサイズの拘束のため、無線送信機が検出構成部材に干渉する潜在能力を有し、結果として、占有者が存在しない時に人の存在または占有の不正確な識別の結果となる場合がある。しかしながら、これは、検出装置の出力が人の存在を示しているかどうかを決定するために使用される決定しきい値を変えることによって、避けることができる。しきい値を、無線送信に起因する干渉の大きさと同等あるいはそれ以上として知られている量だけ、一時的に増加させることができる。そのため、ノードによるセンサー検出は、干渉に起因する偽の検出を抑制するため、そのノードによる無線信号の送信中において、効果的に感度を減らされる。
【００９３】
モーションセンサー故障検出
多くのノードに存在する多数の検出構成要素を伴う大規模な照明導入において、センサーの一つは、人が実際に存在しない時でさえも、時間中、それが恒久的に人の存在を示す出力を提供する故障が拡大することがある。これは、故障したセンサーは不必要にライトを作動させないが、ピアツーピア通信を介して、１つの故障したセンサーが、多くの場合によってはすべてのライトをすべての時間作動させるため（設定による）、照明導入のエネルギー消費にとって大変重大な結果となる。ビルが昼間も夜も連続して毎日毎晩占有されていない場合に、２４時間（または他の長期間）の間、その出力がずっとオンの状態かどうか（あるいは、人の存在を表しているかどうか）を、その検出構成要素の各ノードモニター出力に決定させることによって、この潜在的問題を扱うことができる。もしそうならば、ノードは、その検出構成要素が故障していると推測することができる。多分故障している構成要素の場合、センサーは無効にされるか無視され、隣接するノードが故障ノードによって検出した人の存在（正しくない）を知らされることはない。そのセンサーを非活性にすることに加えて、ノードのメンテナンスが必要であることを示すために、ノードに関連する光源を連続してオンにすること、あるいは、それに代えて、隣接するノードが占有を検出した時のみ光源をオンにすることを意味する、隣接ノードから受信した信号に基づき、光源を短い期間オンとオフとを連続させる（すなわち、フラッシュまたはブリンク）させることができる。
【００９４】
ランプの切れ−機能として
光源は初期の期間中に調光によって損傷することがあるため、ある光源（例えばある蛍光灯）はその活動の初期の部分で最大の明るさで操作される必要がある。従って、各ノードは、蛍光灯が交換された時にリモートコントロールハンドセットを使用してリセットできるタイマーを含み、このタイマーは、蛍光灯の操作の初期期間の間、蛍光灯がオンまたはオフのいずれかで決して調光されないことを保証するために、使用される。タイマーが止まった後、ノードは調光を許可する。このことは、新しい蛍光灯が初期ならし期間を完了した後、人が、累積運転時間を追跡し、ノードの再設定のためにノードを再検討する、必要を回避する。
【００９５】
多くの変更は、本発明の範囲から離れることなく、当業者にとって明らかである。
【図１】
2015528999.tif 000003
【図２】
2015528999.tif 000004
【図３】
2015528999.tif 000005
【図４】
2015528999.tif 000006
【図５】
2015528999.tif 000007
【図６】
2015528999.tif 000008
【図７】
2015528999.tif 000009
【図８】
2015528999.tif 000010
【図９】
2015528999.tif 000011
【国際調査報告】
2015528999.tif 000012
2015528999.tif 000013
2015528999.tif 000014
2015528999.tif 000015
2015528999.tif 000016
2015528999.tif 000017
2015528999.tif 000018